(57)【要約】      （修正有）【課題】気泡部分を潰す感覚を何度でも繰り返して味わうことを可能とし、かつ、遊戯的要素が追加された玩具を提供する。【解決手段】ボタン付き玩具１００であって、内部が空洞のボタンが形成された第１シート２０２と、一方の面に第１の突起が形成され、他方の面上の第１の突起の裏側に第２の突起が形成された第２シート２０３と、タクトスイッチが形成されたプリント基板２０４と、音声出力を行うスピーカーと、タクトスイッチのオフ状態からオン状態への変化を検知し、スピーカーより音声出力を行う制御部とを備え、第１シート、第２シート及びプリント基板が、第１の突起がボタンの空洞内に含まれ、かつ、第２の突起がタクトスイッチを押圧可能な位置に位置するように積層されて構成されたボタン付き玩具。【選択図】図１
0003134221.tif 000002
【実用新案登録請求の範囲】
【請求項１】
ボタン付き玩具であって、
内部が空洞のボタンが形成された第１シートと、
一方の面に第１の突起が形成され、他方の面上の該第１の突起の裏側に第２の突起が形成された第２シートと、
タクトスイッチが形成されたプリント基板と、
音声出力を行うスピーカーと、
前記タクトスイッチのオフ状態からオン状態への変化を検知し、前記スピーカーより音声出力を行う制御部と
を備え、
前記第１シート、前記第２シート及び前記プリント基板が、前記第１の突起が前記ボタンの空洞内に含まれ、かつ、前記第２の突起が前記タクトスイッチを押圧可能な位置に位置するように積層されて構成されたボタン付き玩具。
【請求項２】
前記第１の突起の直径が、前記第２の突起の直径よりも大きいことを特徴とする請求項１に記載のボタン付き玩具。
【請求項３】
ボタン付き玩具であって、
内部が空洞の複数のボタンが上面より突出するように形成された第１シートと、
一方の面には当該一方の面の方向に突出した複数の第１の突起が形成され、他方の面上の該第１の突起の裏側位置には当該他方の面の方向に突出した第２の突起が形成された第２シートと、
複数のタクトスイッチが形成されたプリント基板と、
音声出力を行うスピーカーと、
前記タクトスイッチのオフ状態からオン状態への変化を検知し、前記スピーカーより音声出力を行う制御部と
を備え、
前記第１の突起は、前記第１シートの下面と前記一方の面が接するように前記第１シートと前記第２シートを重ねたとき、前記ボタンの空洞内に含まれる位置に形成されており、
前記複数のタクトスイッチは、前記第２シートの他方の面と前記プリント基板の上面が接するように前記第２シートと前記プリント基板を重ねたとき、前記第２の突起の下方に位置するように形成されており、
前記ボタンの前記第１シートからの突出量は、前記第１の突起の前記第２シートからの突出量よりも大きくなるように形成されており、
前記第１シート、前記第２シート及び前記プリント基板が、前記第１の突起が前記ボタンの空洞内に含まれ、かつ、前記タクトスイッチが、前記第２の突起の下方に位置するように積層されて構成されたボタン付き玩具。
【考案の詳細な説明】
【技術分野】
【０００１】
本考案は、ボタン付き玩具に関する。
【背景技術】
【０００２】
エアーキャップ（登録商標）或いは、プチプチ（登録商標）と呼ばれる気泡緩衝材は、梱包等に広く利用されている。このような気泡緩衝材は、梱包に用いられた後は廃棄されるのが一般的であるが、気泡部分を潰して遊んだり、ストレス発散の用途にも用いられている。
【考案の開示】
【考案が解決しようとする課題】
【０００３】
しかしながら、気泡緩衝材の気泡部分は一旦潰してしまうと再度の利用はできないため、使い切りとなる。
【０００４】
そこで、本考案では、気泡部分を潰す感覚を何度でも繰り返して味わうことを可能とし、かつ、遊戯的要素が追加された玩具を提供することを目的とする。
【課題を解決するための手段】
【０００５】
上記課題を解決するため、本考案に係るボタン付き玩具は、
内部が空洞のボタンが形成された第１シートと、
一方の面に第１の突起が形成され、他方の面上の該第１の突起の裏側に第２の突起が形成された第２シートと、
タクトスイッチが形成されたプリント基板と、
音声出力を行うスピーカーと、
前記タクトスイッチのオフ状態からオン状態への変化を検知し、前記スピーカーより音声出力を行う制御部と
を備え、
前記第１シート、前記第２シート及び前記プリント基板が、前記第１の突起が前記ボタンの空洞内に含まれ、かつ、前記第２の突起が前記タクトスイッチを押圧可能な位置に位置するように積層されて構成されている。
【０００６】
なお、前記第１の突起の直径が、前記第２の突起の直径よりも大きくてもよい。
【０００７】
また、上記課題を解決するため、本考案に係るボタン付き玩具は、
ボタン付き玩具であって、
内部が空洞の複数のボタンが上面より突出するように形成された第１シートと、
一方の面には当該一方の面の方向に突出した複数の第１の突起が形成され、他方の面上の該第１の突起の裏側位置には当該他方の面の方向に突出した第２の突起が形成された第２シートと、
複数のタクトスイッチが形成されたプリント基板と、
音声出力を行うスピーカーと、
前記タクトスイッチのオフ状態からオン状態への変化を検知し、前記スピーカーより音声出力を行う制御部と
を備え、
前記第１の突起は、前記第１シートの下面と前記一方の面が接するように前記第１シートと前記第２シートを重ねたとき、前記ボタンの空洞内に含まれる位置に形成されており、
前記複数のタクトスイッチは、前記第２シートの他方の面と前記プリント基板の上面が接するように前記第２シートと前記プリント基板を重ねたとき、前記第２の突起の下方に位置するように形成されており、
前記ボタンの前記第１シートからの突出量は、前記第１の突起の前記第２シートからの突出量よりも大きくなるように形成されており、
前記第１シート、前記第２シート及び前記プリント基板が、前記第１の突起が前記ボタンの空洞内に含まれ、かつ、前記タクトスイッチが、前記第２の突起の下方に位置するように積層されて構成されている。
【考案の効果】
【０００８】
本考案によれば、気泡部分を潰す感覚を何度でも繰り返して味わうことを可能とし、かつ、遊戯的要素が追加された玩具を提供することができる。
【考案を実施するための最良の形態】
【０００９】
以下添付図面を参照して、本考案の好適な実施形態について詳細に説明する。
【００１０】
[第１の実施形態]
図１は、本考案の実施形態に対応するボタン付き玩具１００の外観を示す図である。図１において、玩具１００の表面には、ボタン１０１が８つ配置されている。ボタン１０１は、シリコンラバー製で、使用者の指が接する面は直径約１ｃｍの大きさを有する。ボタン１０１は、内部が空洞であって指により圧力がかかると押しつぶされ形が変形するが、一般的な気泡緩衝材のように破裂することなく、圧力が解除されると元の形状に復帰する。
【００１１】
図２は、図１のボタン付き玩具１００の組み立て図である。図２に示すように、ボタン付き玩具１００は、蓋部材２０１、第１ボタンシート２０２、第２ボタンシート２０３、プリント基板２０４、本体部２０５が、積層されて構成される。
【００１２】
図３は、蓋部材２０１の外観の一例を示す図である。蓋部材２０１は、ボタン付き玩具１００の保護用のカバーの役割を果たし、プラスチックにより構成される。また、表面にはボタン１０１を露出させるための孔３０１が８つ設けられている。
【００１３】
次に、図４は、第１ボタンシート２０２の外観の一例を示す図である。第１ボタンシート２０２は、シリコンラバーのような弾力性材料により構成され、蓋部材２０１の孔３０１から玩具表面に突き出るボタン１０１が８つ配置されている。ボタン１０１は、内部が空洞になっており、裏側からは、後述する第２ボタンシート２０３上の大ボタン５０１を内包可能となっている。
【００１４】
次に図５は、第２ボタンシート２０３の外観の一例を示す図である。第２ボタンシート２０３も、シリコンラバー製であり、表面には大ボタン５０１が８つ設けられている。大ボタン（第１の突起）５０１は、ボタン１０１に内包される大きさを有し、直径５〜７ｍｍとすることができる。また、大ボタン（第１の突起）５０１の高さ（第２ボタンシート２０３の表面からの突出量）は、第１ボタンシート２０２のボタン１０１の高さ（第１ボタンシート２０２の表面からの突出量）よりは小さくなるように形成されている。すなわち、ボタン１０１に大ボタン（第１の突起）５０１が内包され、ボタン１０１の直下に大ボタン（第１の突起）５０１が位置するように第１ボタンシート２０２と第２ボタンシート２０３を重ねたときには、ボタン１０１の上壁と大ボタン（第１の突起）５０１の上壁との間には空間が生じるようになっている。さらに、大ボタン５０１の近傍には、ボタン１０１が押しつぶされて変形した際の空気抜きのための空気孔５０２が２つ設けられている。第２ボタンシート２０３の裏面上の大ボタン５０１の裏側の位置には、第２ボタンシート２０３の裏面方向に突出した小ボタン（第２の突起）が設けられている。小ボタンについては、図６の断面図を参照して説明する。
【００１５】
図６は、図５において、直線５０３を含む平面で切った断面をα方向から見た場合の断面図である。ここで示されるように、大ボタン５０１の反対側には小ボタン６０１が設けられており、小ボタン６０１は第２ボタンシート２０３より裏面方向に突出している。小ボタン６０１の直径は３〜４ｍｍとすることができる。なお、小ボタン６０１は、プリント基板２０４上のタクトスイッチと接するため、ボタン１０１が押しつぶされて得られる圧力を伝達しやすいように、大ボタン５０１よりも直径が小さくなっている。なお、大ボタン５０１と小ボタン６０１との大きさは、ほぼ同一でもよい。
【００１６】
図７は、プリント基板２０４の外観の一例を示す図である。プリント基板２０４上には、タクトスイッチ７０１が８つ設けられており、小ボタンからの圧力に応じてスイッチがＯＮされる。プリント基板２０４には、タクトスイッチ７０１のいずれかがＯＮ状態をとなった場合に導通するような配線が構成されている。
【００１７】
図８は、本体部２０５の外観構成の一例を示す図である。本体部２０５には、音声出力用のスピーカー８０１、電源部８０２、制御部８０３が含まれる。制御部８０３は、電源部８０２からの電源供給を受け、プリント基板２０４上のタクトスイッチ７０１がオフ状態からオン状態へ変化したか否かを検知（判定）する。
【００１８】
もし、タクトスイッチ７０１がＯＮになった場合には、スピーカー８０１より、音声出力を行う。また、制御部８０３は、タクトスイッチ７０１がＯＮになった回数をカウントして合計の操作回数が一定数に到達した場合に、所定の出力音をスピーカー８０１より出力させる。なお、本体部２０５の底面には、スピーカーからの音を出力するための、出力孔が設けられている。即ち、スピーカーのユニットは底面向きに設置され、該出力孔を介して音声が外部に出力される。
【００１９】
以上のように、ボタン付き玩具１００は、ボタン１０１、大ボタン５０１、小ボタン６０１、タクトスイッチ７０１が垂直方向に重なるようにして、蓋部材２０１、第１ボタンシート２０２、第２ボタンシート２０３、プリント基板２０４、本体部２０５が、積層されて構成される。
【００２０】
次に、図９を参照して、ボタン１０１、大ボタン５０１、小ボタン６０１、タクトスイッチ７０１の配置関係と、スイッチ７０１が操作される様子を説明する。
【００２１】
図９（ａ）は、ボタン１０１、大ボタン５０１、小ボタン６０１、タクトスイッチ７０１の配置関係を示す断面図である。図９（ａ）によれば、ボタン１０１の直下に大ボタン５０１が内包されるように配置され、大ボタン５０１の裏側に位置する小ボタン６０１がタクトスイッチ７０１上に配置される。この状態では、タクトスイッチ７０１はＯＦＦ状態となっている。
【００２２】
もし、図９（ａ）の状態において、ボタン１０１が使用者の指により押し下げられると、前述のとおり、ボタン１０１の上壁と大ボタン５０１の上壁の間には空間があるため、まずは、ボタン１０１のみが、ボタン１０１の上壁と大ボタン５０１の上壁が接する位置まで押し下げられる。さらに、ボタン１０１が押し下げられると、ボタン１０１の上壁と大ボタン５０１の上壁が接した状態であるため、大ボタン５０１もともに押し下げられ、図９（ｂ）に示すような状態となる。
【００２３】
このため、本考案のボタン付き玩具は、タクトスイッチ７０１がＯＮ状態となるまでに、使用者の指に２段階の押圧感を伝達する。すなわち、ボタン１０１のみが押し下げられている段階（ボタン１０１の上壁と大ボタン５０１の上壁が接する前の段階）では、ボタン１０１の弾性による復元力およびボタン１０１内の空気が圧縮されることによる内圧によるものが押圧感として伝達される。
【００２４】
その後、ボタン１０１と大ボタン５０１がともに押し下げられている段階（ボタン１０１の上壁と大ボタン５０１の上壁が接した段階）では、上記のものに加えて第２ボタンシートの弾性による復元力およびタクトスイッチ７０１の押圧に対する反力によるものが押圧感として伝達される。このことにより、本考案のボタン付き玩具の押圧感は、気泡緩衝材の気泡部分を潰す感覚により近づけられている。
【００２５】
図９（ｂ）では、ボタン１０１が指による押圧によって下に押し下げられ、圧力が大ボタン５０１、小ボタン６０１を介してタクトスイッチ７０１に伝達される。これによりタクトスイッチ７０１が押し下げられて、スイッチがＯＮ状態となる。
【００２６】
なお、使用者が指をボタン１０１から離すと、第１ボタンシート２０２、第２ボタンシート２０３の弾性により、図９（ｂ）の状態から図９（ａ）の状態に復帰する。
【００２７】
次に、図１０のフローチャートを参照して、ボタン１０１が操作された場合に、スピーカー８０１から音を出力する際の処理について説明する。図１０に示すフローチャートは、制御部において、対応する処理プログラムをプロセッサが実行することにより実現される。
【００２８】
まず、ステップＳ１００１では、タクトスイッチ７０１がＯＦＦ状態からＯＮ状態になったか否かを判定する。もし、ＯＮ状態になった場合には（ステップＳ１００１において「ＹＥＳ」）、ステップＳ１００２に移行する。ステップＳ１００２では、スイッチがＯＮになった回数（Ｎｏｎ）を計数するカウンタをインクリメントする。
【００２９】
続くステップＳ１００３では、カウント合計が閾値Ｔｈに一致したか否かを判定する。もし、一致しない場合には（ステップＳ１００３において「ＮＯ」）、ステップＳ１００４に移行する。一方、一致した場合には（ステップＳ１００３において「ＹＥＳ」、ステップＳ１００５に移行する。
【００３０】
ステップＳ１００４では、通常音をスピーカー８０１より出力する。通常音は、例えば、気泡緩衝材の気泡部分の破裂音を模した音とすることができる。一方、ステップＳ１００５では、特別音をスピーカー８０１より出力する。特別音は、破裂音とは関係のない任意の音とすることができる。例えば、所定のメッセージや、動物の鳴き声、その他の効果音を利用することができる。なお、閾値Ｔｈを複数用意して、合計数の一定単位毎に異なる特別音を出力することができる。例えば、１００回毎に特別音が出力されるようにしてもよい。
【００３１】
なお、図中には示していないが、ボタン付き玩具１００には、キーホルダーや携帯ストラップに取り付けるための取付部材を設け、キーホルダーや携帯ストラップ用の玩具とすることができる。
【００３２】
以上のように、本考案によれば、気泡部分を潰す感覚を何度でも繰り返して味わう玩具を提供することができる。また、該玩具によれば、所定回数操作するたびに特別音が出力されるので、単なるストレス発散目的ではなく、遊戯的要素を楽しむこともできる。
【図面の簡単な説明】
【００３３】
【図１】考案の実施形態に対応するボタン付き玩具１００の外観構成の一例を示す図である。
【図２】考案の実施形態に対応するボタン付き玩具１００の組み立て図である。
【図３】本考案の実施形態に対応する蓋部材２０１の外観の一例を示す図である。
【図４】本考案の実施形態に対応する第１ボタンシート２０２の外観の一例を示す図である。
【図５】本考案の実施形態に対応する第２ボタンシート２０３の外観の一例を示す図である。
【図６】本考案の第実施形態に対応する第２ボタンシート２０３の断面の一例を示す断面図である。
【図７】本考案の実施形態に対応するプリント基板２０４の外観の一例を示す図である。
【図８】本考案の実施形態に対応する本体部２０５の外観構成の一例を示す図である。
【図９】本考案の実施形態に対応するボタン１０１、大ボタン５０１、小ボタン６０１、タクトスイッチ７０１の配置関係と、スイッチ７０１が操作される様子を説明する図である。
【図１０】本考案の実施形態に対応するフローチャートである。
【図１】
0003134221.tif 000003
【図２】
0003134221.tif 000004
【図３】
0003134221.tif 000005
【図４】
0003134221.tif 000006
【図５】
0003134221.tif 000007
【図６】
0003134221.tif 000008
【図７】
0003134221.tif 000009
【図８】
0003134221.tif 000010
【図９】
0003134221.tif 000011
【図１０】
0003134221.tif 000012